(57)【要約】【課題】従来のくけ台は、利便性が良くないという問題があった。これは形状が旧態依然としているためである。【解決手段】開口部を有する筒状容器とその筒状容器の底部におもりを有すると共にそのおもり上方には針山を装着した針山台を前記開口部に対して脱着自在に保持し前記筒状容器の外側にはかけ針器を保持する。かけ針器収納部を設けると共にかけ針器に一端をつないだ紐部材とその紐部材の他端は前記筒状容器の外側に固定したくけ台により、形状の現代化がなされ、利便性を向上させた現代の生活様式に合う机上等で用いるくけ台である。【選択図】図１
2013127139.tif 000002
【特許請求の範囲】
【請求項１】
くけ台であって、このくけ台は開口部を有する筒状容器とその筒状容器の底部におもりを有すると共に、そのおもり上方には針山を装着した針山台を前記開口部に対し脱着自在に保持し、前記筒状容器の外側にはかけ針器を保持する、かけ針器収納部を設けると共に、かけ針器に一端をつないだ紐部材とその紐部材の他端は前記筒状容器の外側に固定したことを特徴とするくけ台。
【請求項２】
前記筒状容器の外側への紐部材の固定は容器の高さ方向の中央部よりも下に固定したことを特徴とする請求項１記載のくけ台
【請求項３】
前記筒状容器底部外側に滑り止め部材を設けたことを特徴とする請求項１又は２のいずれかに記載のくけ台
【請求項４】
上記くけ台は円筒状容器とし内周の上方部に針山台受けリングを固設し、針山台には受けリング内径より大きい外径のツバを有すると共に受けリング内径よりも小さい外径である針山台としたことを特徴とする請求項１，２，３，のいずれかに記載のくけ台。
【請求項５】
前記筒状容器外側上部かぶせた蓋の内空上部が装着した針山最上部よりゆとりを保つだけの高さを有する蓋を設けたことを特徴とする請求項１，２，３，４，のいずれかに記載のくけ台。
【発明の詳細な説明】
【技術分野】
【０００１】本発明は、利便性を図った、机上等で用いるくけ台に関するものである
【背景技術】
【０００２】従来木製の座式くけ台、金属製で机の端にネジで固定式のくけ台、重りをくけ台の兼用としていた。
【発明の概要】
【発明が解決しようとする課題】
【０００３】これらは次のような欠点があった
（イ）木製の座式くけ台は、机の上に置いての使用ができないので、椅子に腰かけて机に向かう作業姿勢には合わないものであった。
（ロ）金属製で机の端にネジで固定式のくけ台は、端に出っ張りのある机にしか使用できず、位置換えも簡単にはいかないものであった。
（ハ）重りをくけ台の兼用としていたものは、くけ台としての機能が不備であった。
本発明はこれらの欠点を取り除き、各種裁縫や手芸等の作業をこれまでより一層能率良く、現代の生活様式に合う便利な机上用くけ台を実現することを目的とするものである。
【課題を解決するための手段】
【０００４】前記目的を達成するための本発明を詳述すれば
本発明は請求項１として、くけ台であってこのくけ台は開口部を有する筒状容器とその筒状容器の底部におもりを有すると共に、そのおもり上方には針山を装着した針山台を前記開口部に対し脱着自在に保持し、前記筒状容器の外側にはかけ針器を保持する、かけ針器収納部を設けると共に、かけ針器に一端をつないだ紐部材とその紐部材の他端は前記筒状容器の外側に固定したことを特徴とするくけ台である。【０００５】請求項２として前記筒状容器の外側への紐部材の固定は容器の高さ方向の中央部よりも下に固定したことを特徴とする請求項１記載のくけ台である。【０００６】請求項３として前記筒状容器底部外側に滑り止め部材を設けたことを特徴とする請求項１又は２のいずれかに記載のくけ台である。【０００７】請求項４として上記くけ台は円筒状容器とし、内周の上方部に針山台受けリングを固設し、針山台には受けリング内径より大きい外径のツバを有すると共に受けリング内径よりも小さい外径である針山台としたことを特徴とする請求項１，２，３，のいずれかに記載のくけ台である。【０００８】請求項５として前記筒状容器外側上部、かぶせた蓋の内空上部が装着した針山最上部よりゆとりを保つだけの高さを有する蓋を設けたことを特徴とする請求項１，２，３，４のいずれかに記載のくけ台である。
【発明の効果】
【０００９】本発明によれば筒状としたことにより、ただ机上に置くだけで使うことができる、便利な机上用くけ台を提供できる。【００１０】また、おもりを用いることにより、任意の場所に置くことができ従来のようにくけ台の位置換え困難であったのがこの発明により簡単にできるという効果を発揮するものである
【図面の簡単な説明】
【００１１】
【図１】本発明に係るくけ台の一実施例を示す、断面図である。
【図２】本発明に係るくけ台の一番目の他の一実施例を示す、断面図である。
【図３】本発明に係るくけ台の二番目の他の一実施例を示す、（ａ）は断面図である。（ｂ）は針山台裏返し時断面図である。
【図４】本発明に係るくけ台の図１に示す実施例の分解斜視図である。
【図５】本発明に係るくけ台の図２に示す実施例の分解斜視図である。
【図６】本発明に係るくけ台の図３に示す実施例の分解斜視図である。
【発明を実施するための形能】
【００１２】以下本発明に係るくけ台の具体的構成を図示の実施例に基づき、詳細に説明する。
図１は本発明に係る一実施例を示す、断面図である。
図２は本発明に係る一番目の他の一実施例を示す、断面図である。
図３は本発明に係る二番目の他の一実施例を示す、（ａ）は断面図である。（ｂ）は針山台裏返し時、断面図である。
【００１３】図４は本発明に係るくけ台の図１に示す、実施例の分解斜視図である。
図５は本発明に係るくけ台の図２に示す、実施例の分解斜視図である。
図６は本発明に係るくけ台の図３に示す、実施例の分解斜視図である。
【実施例】
【００１４】以下に、本発明に係るくけ台の具体例を図面を参照しながら詳明に説明する。
図１は一実施例を説明する図である。くけ台１は直径７０〜８０ｍｍ、高さ９０〜１００ｍｍであり、筒状容器１０は内厚１ｍｍのステンレス製である、筒状容器の内側底部にはくけ台底部おもり７を有し、その上方には針山５が装着された針山台３が、ちょうど筒状容器の１０の開口部を塞ぐように備えられている。【００１５】この針山台３の周辺には高さの中程よりやや下に、前記筒状容器１０の開口部内径よりも大きな直径のつばが形成されており、このつばの外周が開口部外側に設けられたリング８に引っかかり保持されることとなる。この開口部に保持された針山台３は収納袋９に入れたおもりなどの取り出し時や装入時には筒状容器１０に対し、容易に着脱可能である。【００１６】又筒状容器１０の外側にはかけ針器１２を保持するためのかけ針器収納部２を固着している、そして同様に筒状容器１０の外側にはかけ針器１２をつなぎ止める紐部材１３の一端を筒状容器１０に固定するための紐固定部６が設けられ底部外側には滑り止め部材１１も固着されている。【００１７】筒状容器１０の素材はステンレスに限らず、その他の金属、合成樹脂、木、竹、陶器、漆器などでも良く、針山５は柔軟な素材からなり適宜形状であり、針山台３に圧入して使用するさいは、少量の接着剤を用いて定着し、劣化した時はカンタンに新しいものと交換することができる。【００１８】くけ台底部おもり７は、紐部材固定部６に装着された紐部材１３とその一端をつないだかけ針器１２により布をはさみ紐部材１３を引っぱって机上用くけ台として使用するさいに筒状容器１０にかかる力に対しての安定性を保つために必要な重みを有する。通常５００ｇもあれば良いがこのかかる力は、使用する人や設置場所の接触面により異なるので、くけ台底部おもり７だけだは解決されない問題が生じてくる。【００１９】そこで滑り止め部材１１を筒状容器１０の外側底部に設け  さらに内部には収納袋９に入れた重りを入れて問題の解決にあたる。
滑り止め部材１１の素材はゴムなど緩衝材を用い  少量の粘着力を発揮するものが良く、筒状容器１０の外側底部に固着される場合は接着剤などを使用する  いずれも設置場所の接触面を傷つけたり汚したりしない厚さ１ｍｍ〜３ｍｍ、直径７１ｍｍ〜８１ｍｍぐらいが良い。【００２０】収納袋９のおもりの重さや、内容物は必要に応じて調整する。
例えば少量のおもりをたくさん入れても良いし、硬貨などでも代用できる。
その他ポプリやにおい袋、乾燥剤などの袋としても良い。【００２１】かけ針器収納部２は、かけ針器１２先端部を下にして収納する形状になっていて、材質は筒状容器１０と同素材が好ましく、紐部材固定部をふさいだり８リングにひっかからない位置とし、いずれもかけ針器１２が安定して収納される形状とする。【００２２】紐部材固定部６は、かけ針器１２に一端をつないだ紐部材１３とその紐部材の他端を筒状容器外側に固定するためである、その部分はただ単に穴をあけて紐部材１３を通しても良く、金具をつけたり、強力な接着剤を使用したりして固定されれば良い、その位置はかけ針器１２で布をはさみ紐部材１３を引っぱって机上用くけ台として使用するさいの最も安定を得る高さである。【００２３】筒状容器１０の高さ方向の中央より下、底から３０ｍｍぐらいの位置に両脇側に直径５ｍｍ〜７ｍｍぐらいの大きさの穴を２個ずつ計４個をあけ鳩目金具を付け紐部材１３を通して渡し端を後で結んで固定する、そのさいの１つ目と２つ目の鳩目は２０ｍｍほど離し、かけ針器１２と近い方の穴からの紐部材１３の長さは２００ｍ〜２５０ｍｍぐらいが好ましい
使用する紐部材１３は、直径２〜３ｍｍぐらいの組み紐が好ましいが筒状容器１０の素材によっては、他の物でも良く限定されるものではない。【００２４】針山台３の高さは針山５の高さの最も高い位置が印針三の一の長さ３３ｍｍが埋没しない２８ｍｍとするのが安全上好ましいのでこれ以上順じて針山台つば部４も含めて内側底から１８〜２５ｍｍぐらいまでとするのが良いが限定されるものではない。【００２５】次に図２の一番目の他の一実施例を説明する図である。くけ台１は蓋くけ台固定部１６で筒状容器１０に固定する蓋１４を有する。針山台３の最上部には、つばが形成されており、このつばの外周が筒状容器１０の開口部蓋固定部１６の内側最上部に設けられたリング８にひっかかり針山台３が保持される。【００２６】蓋１４は筒状容器と同素材とは限らず、内側が透けて見える素材の方が安全性上好ましい、蓋くけ台固定部１６と筒状容器１０の固定方法は円形ならばスクリュー式でも良いが内部にゆるやかな突起を有したはめこみ式や  あるいはただかぶせるだけでも安定性があれば良い。【００２７】蓋１４の高さについては、筒状容器１０にかぶせた状態で、針山５最上部にまっすぐ刺したまち針１５印針四の三の長さ３９ｍｍのものにビーズ８固を糸で通した手作りの長さ４５ｍｍ程のまち針１５の頭部の空間が８０ｍｍ程のゆとりが出る女性向けサイズ蓋付きくけ台総高さ１２０ｍｍのものでは蓋１４の高さは５５ｍｍ  蓋くけ台固定部１６は２０ｍｍ筒状容器１０の総高さは８５ｍｍ  蓋くけ台固定部１６を引いた下部は６５ｍｍとなり、使用上最適な形状となる【００２８】その他かけ針器収納部２は、蓋くけ台固定部１６にひっかからない高さの形状とする。針山台３最上部つばの横幅は１．５〜２ｍｍ程  リング８の横幅は針山台つば部４が保持されるための横幅２０〜２５ｍｍ程になり、出し入れのさいに指などが傷つかないような形状であるのが良い。【００２９】次に図３の二番目の他の一実施例を説明する（ａ）は断面図（ｂ）は針山台裏返し時、断面図である。蓋くけ台固定部１６で筒状容器１０に固定する蓋１４を有する。針山台３の最下部にはつばが形成されておりこのつばの外周が筒状容器１０の開口部蓋固定部１６の内側最下部に設けられたリング８にひっかかり針山台３が保持される。【００３０】針山台３は図中（６）に示すように裏返して収納形状になっているため最下部つばの横幅は６〜７ｍｍ程  リング８の横幅は１０ｍ〜１２ｍｍ程  針山台の内径は４３ｍｍ程で底部外側にはつまみ１７を有して裏返し時使用する  金具１８は針山５をしっかり固定するためのものであり紐などを針山５に固着して金具１８としかかりつなぎ針山５が針山台３裏返し時に落下しないためのものである。【００３１】次に図４の図１に示す実施例の分解斜視図を説明する。
（１）は針山５  （２）は針山台３  針山台つば部４  （３）は収納袋９  （４）はかけ針収納部２  部材固定部６  リング８  筒状容器１０  かけ針器１２  紐部材１３  （４）は滑り止め部材１１  である。【００３２】次に図５の図２に示す実施例の分解斜視図を説明する。
（１）は蓋１４  （２）は針山５  （３）は針山台３、針山台つば部４  （４）は収納袋９  （５）はかけ針収納部２  部材固定部６  リング８  筒状容器１０  かけ針器１２  紐部材１３  蓋くけ台固定部１６  （６）は滑り止め部材１１である。【００３３】次に図６の図３に示す実施例の分解斜視図を説明する。
（１）は蓋１４  （２）は針山５  （３）は針山台３  針山台つば部４  つまみ１７  （４）は収納袋９  （５）はかけ針収納部２  部材固定部６  リング８  筒状容器１０  かけ針器１２  紐部材１３  蓋くけ台固定部１６  （６）は滑り止め部材１１である。【００３４】本発明くけ台は以上のような構成からなり、使用にあたっては、紐部材固定部６にかけ針器１２に一端をつないだ紐部材１３を固定して必要に応じて収納袋９におもりを入れたものを開口部から入れ針山５を圧入した針山台３をリング８に針山台つば部４を引っかけて保持しかけ針器１２で布をはさみ紐部材１３を引っぱって使用する
机上用くけ台である。【００３５】さらに位置換えが手でカンタンにでき、蓋１４は保管時使用するだけではなく、作業途中で一時的にかぶせて突出した針の危険回避にも役に立つ
その他本発明は図示の実施例に限定されるものではなく特許請求の範囲記載内において数々の変形が可能である。
【産業上の利用可能性】
【０００３６】裁縫道具に関する業界において活用できるものである。
【符号の説明】
【００３７】  １：くけ台
２：かけ針器収納部
３：針山台
４：針山台つば部
５：針山
６：紐部材固定部
７：くけ台底部おもり
８：リング
９：収納袋
１０：筒状容器
１１：滑り止め部材
１２：かけ針器
１３：紐部材
１４：蓋
１５：まち針
１６：蓋くけ台固定部
１７：つまみ
１８：金具
【図１】
2013127139.tif 000003
【図２】
2013127139.tif 000004
【図３】
2013127139.tif 000005
【図４】
2013127139.tif 000006
【図５】
2013127139.tif 000007
【図６】
2013127139.tif 000008